(57)【要約】【課題】微動アクチュエータと主アクチュエータを備えたディスク装置で高速高精度の位置決め制御を実現する。【解決手段】微動アクチュエータ３と主アクチュエータ８とヘッド位置検出器１１と主制御部５０と主駆動器１９と微動制御部２０と微動駆動器１７とを備えるディスク装置であって、微動制御部２０は、ヘッド位置検出器１１が出力する位置信号ｐｅが入力され且つ該入力信号ｐｅに基づいて、目標トラックが微動アクチュエータ３の動作範囲内に位置するときには、目標トラックが動作範囲内にあるときのみ微動制御信号ｕｍを生成して微動駆動器１７へ出力する一方、目標トラックが微動アクチュエータ３の動作範囲内に位置しないときには、微動制御信号ｕｍを出力しない構成とした。【選択図】図１
2006179105.tif 000002
【特許請求の範囲】
【請求項１】
少なくとも情報記録ディスクに記録された情報を再生するヘッドと、
前記ヘッドが搭載され、該ヘッドを前記情報記録ディスク上で移動させる微動アクチュエータと、
前記微動アクチュエータが搭載され、前記ヘッドを該微動アクチュエータと共に前記情報記録ディスク上で移動させる主アクチュエータと、
前記ヘッドの再生信号から、該ヘッドの前記情報記録ディスク上におけるヘッド位置を検出して、その位置信号を出力するヘッド位置検出手段と、
前記位置信号が入力され且つ該入力信号に基づいて、前記ヘッドを前記情報記録ディスク上の目標トラックに移動させるアクセス動作と該ヘッドを該目標トラックに追従させるトラック追従動作とを切り換えると共に切り換えた動作に応じた主制御信号を生成して出力する主制御手段と、
前記主制御信号に応じて前記主アクチュエータを駆動する主駆動手段と、
前記位置信号が入力され且つ該入力信号に基づいて、目標トラックが前記微動アクチュエータの動作範囲内に位置するときには、該ヘッドを目標トラック上へ移動させるための微動制御信号を生成して出力する一方、目標トラックが前記微動アクチュエータの動作範囲内に位置しないときには、該微動制御信号を出力しない微動制御手段と、
上記微動制御手段の出力に応じて前記微動アクチュエータを駆動する微動駆動手段と、を備えたディスク装置。
【請求項２】
請求項１に記載のディスク装置であって、
前記微動アクチュエータは、圧電素子を有しているディスク装置。
【請求項３】
請求項１又は２に記載のディスク装置であって、
前記微動制御手段は、該微動制御手段に入力される前記位置信号のフィルタリング処理を行う高域通過フィルタを含んで構成されたディスク装置。
【請求項４】
請求項３に記載のディスク装置であって、
前記高域通過フィルタの遮断周波数は、前記主アクチュエータが前記トラック追従動作を行うときの制御帯域よりも高く設定したディスク装置。
【請求項５】
請求項２に記載のディスク装置であって、
前記微動制御手段は、前記位置信号を積分して前記微動制御信号を生成するように構成されたディスク装置。
【請求項６】
請求項１〜５の何れか１つに記載のディスク装置であって、
前記微動制御手段は、前記微動アクチュエータが前記動作範囲を越えて動作しないように前記微動制御信号の大きさを制限するリミッタを含んで構成されたディスク装置。
【請求項７】
請求項１〜６の何れか１つに記載のディスク装置であって、
前記微動制御手段は、該微動制御手段に入力される前記位置信号のうち前記微動アクチュエータの共振周波数と略等しい周波数成分を減衰させるノッチフィルタを含んで構成されたディスク装置。
【請求項８】
少なくとも情報記録ディスクに記録された情報を再生するヘッドと、前記ヘッドが搭載され、該ヘッドを前記情報記録ディスク上で移動させる微動アクチュエータと、前記微動アクチュエータが搭載され、前記ヘッドを該微動アクチュエータと共に前記情報記録ディスク上で移動させる主アクチュエータとを備えたディスク装置における制御方法であって、
前記ヘッドの再生信号から、該ヘッドの前記情報記録ディスク上におけるヘッド位置を検出して、その位置信号を生成する工程と、
前記位置信号に基づいて、前記ヘッドを前記情報記録ディスク上の目標トラックに移動させるアクセス動作と該ヘッドを該目標トラックに追従させるトラック追従動作とを切り換えると共に切り換えた動作に応じた主制御信号を生成し、該主制御信号に応じて前記主アクチュエータを駆動する主制御工程と、
前記位置信号に基づいて、目標トラックが前記微動アクチュエータの動作範囲内に位置するときには、該ヘッドを目標トラック上へ移動させるように微動制御信号を生成して、該微動制御信号に応じて該微動アクチュエータを駆動する一方、目標トラックが前記微動アクチュエータの動作範囲内に位置しないときには、該微動アクチュエータを駆動しない微動制御工程と、を包含するディスク装置の制御方法。
【請求項９】
請求項８に記載のディスク装置の制御方法であって、
前記微動アクチュエータは、圧電素子を有しているディスク装置の制御方法。
【請求項１０】
請求項８又は９に記載のディスク装置の制御方法であって、
前記微動制御工程では、高域通過フィルタによって前記位置信号のフィルタリング処理を行うディスク装置の制御方法。
【請求項１１】
請求項１０に記載のディスク装置の制御方法であって、
前記高域通過フィルタの遮断周波数は、前記主アクチュエータが前記トラック追従動作を行うときの制御帯域よりも高く設定されたディスク装置の制御方法。
【請求項１２】
請求項９に記載のディスク装置の制御方法であって、
前記微動制御工程では、前記位置信号を積分して前記微動制御信号を生成するディスク装置の制御方法。
【請求項１３】
請求項８〜１２の何れか１つに記載のディスク装置であって、
前記微動制御工程では、微動アクチュエータが前記動作範囲を越えて作動しないように前記微動制御信号の大きさを制限するディスク装置の制御方法。
【請求項１４】
請求項８〜１３の何れか１つに記載のディスク装置であって、
前記微動制御工程では、前記位置信号のうち前記微動アクチュエータの共振周波数と略等しい周波数成分を減衰させるディスク装置の制御方法。
【発明の詳細な説明】
【技術分野】
【０００１】
本発明は、情報記録ディスクに対してアクセスを行う記録／再生用のヘッドを、微動アクチュエータと主アクチュエータとの協働によって位置制御する２段アクチュエータ方式のディスク装置及びその制御方法に関する。
【背景技術】
【０００２】
近年、磁気ディスク装置では高密度記録を実現するために主アクチュエータと微動アクチュエータとによる２段アクチュエータの適用が望まれている。例えば、特許文献１に示すように、ハードディスクなどの情報記録ディスクに対して記録／再生用のヘッドを高速高精度に位置決めするための、微動アクチュエータと主アクチュエータとからなる２段アクチュエータ方式のヘッド位置決め装置がある。
【０００３】
主アクチュエータとしては通常、ボイスコイルモータ（ＶＣＭ）が用いられる。主アクチュエータは、シーク動作やトラック複数分のジャンプなどの大移動のために使用されるもので、ヘッドを搭載しているヘッド支持機構を筐体上の軸を中心にして回動させる。
【０００４】
微動アクチュエータはマイクロアクチュエータ（ＭＡ）とも呼称され、微動アクチュエータには圧電素子（ＰＺＴ素子）が利用されることが多い。微動アクチュエータは、トラック追従や１トラックジャンプなどの高速で微小な位置決めのために使用されるもので、主アクチュエータとヘッドスライダとの間に例えば、圧電素子を介在させて構成している。微動アクチュエータである圧電素子に対する印加電圧の制御によって、ヘッドの変位量を調整する。印加電圧が大きいほど変位の応力が大きく、応答性がより速いヘッドの位置決めが可能である。尚、微動アクチュエータには、圧電素子を用いたもの以外に、電磁力を応用したものや磁歪素子による伸縮を利用したものもある。
【０００５】
そして、微動アクチュエータは変位量が主アクチュエータに比べ小さく、ヘッドの目標位置が微動アクチュエータの動作可能範囲を一部出ている場合、位置決め精度に悪影響を及ぼす。そこで微動アクチュエータの動作可能範囲の内外で位置決め制御を変更することにより位置補償後の不要な振動の発生を避け、位置決め精度を向上させる方法が提案されている（例えば特許文献２参照）。
【特許文献１】特開平５−４７１２６号公報
【特許文献２】特開平５−１９８１１１号公報
【発明の開示】
【発明が解決しようとする課題】
【０００６】
ところで、特許文献２に記載の装置においては、ヘッドと目標トラックとの位置ずれが微動アクチュエータによる動作限界値を超えている場合は微動アクチュエータを目標位置に追従させずに微動アクチュエータの変位量を一定値に制御している。すなわち、ヘッドがある位置から目標トラックまでアクセス動作している場合などにおいて、ヘッドが目標トラックの近傍まで移動するまでの間は、ヘッドと目標トラックとの位置ずれが微動アクチュエータの動作限界値よりも大きく、かかる場合には、微動アクチュエータの変位量は一定値（動作限界値）に制御されることになる。そして、ヘッドが目標トラック上に差し掛かって、目標トラックが微動アクチュエータの動作可能範囲内に位置するようになったときに、微動アクチュエータによる位置決め制御が行われる。つまり、微動アクチュエータによる位置決め制御が始まる直前には微動アクチュエータがその動作範囲内において片方向側に一定値（動作限界値）だけ変位、即ち動作範囲の中央に対してオフセットしているため、微動アクチュエータによる位置決め制御が開始されるときには、微動アクチュエータは、オフセットしている片方向側には変位可能な幅が小さくなっており、オフセットとは反対の他方向側へは変位可能な幅が大きくなっている。そのため、オフセットしている側については、ヘッドが動作できる余裕があまりなく、ヘッドが目標トラックを追従しきれず、目標トラックが微動アクチュエータの動作範囲から外れて、微動アクチュエータは再び、変位量が一定値に固定された状態となる。この間は主アクチュエータの制御帯域によるヘッドの追従動作しか行えず、主アクチュエータは、微動アクチュエータに比べて応答速度及び精度が共に低く、ヘッドの高速高精度位置決めを行えないという課題を有する。
【０００７】
本発明は、かかる点に鑑みてなされたものであり、その目的とするところは、主アクチュエータと微動アクチュエータとを備えたディスク装置において、ヘッドを目標トラックに対して高速且つ高精度に位置決めすることができるディスク装置及びその制御方法を提供することを目的とする。
【課題を解決するための手段】
【０００８】
前記の目的を達成するため、本発明に係わるディスク装置は、目標トラックが微動アクチュエータの動作範囲内に入ることによって微動アクチュエータによる位置決め制御が開始されるときに、微動アクチュエータがその動作範囲の略中央位置に位置するように構成した。具体的には、本発明のディスク装置は、少なくとも情報記録ディスクに記録された情報を再生するヘッドと、前記ヘッドが搭載され、該ヘッドを前記情報記録ディスク上で移動させる微動アクチュエータと、前記微動アクチュエータが搭載され、前記ヘッドを該微動アクチュエータと共に前記情報記録ディスク上で移動させる主アクチュエータと、前記ヘッドの再生信号から、該ヘッドの前記情報記録ディスク上におけるヘッド位置を検出して、その位置信号を出力するヘッド位置検出手段と、前記位置信号が入力され且つ該入力信号に基づいて、前記ヘッドを前記情報記録ディスク上の目標トラックに移動させるアクセス動作又は該ヘッドを該目標トラックに追従させるトラック追従動作を行うための主制御信号を生成して出力する主制御手段と、前記主制御信号に応じて前記主アクチュエータを駆動する主駆動手段と、前記位置信号が入力され且つ該入力信号に基づいて、目標トラックが前記微動アクチュエータの動作範囲内に位置するときには、該ヘッドを目標トラック上へ移動させるための微動制御信号を生成して出力する一方、目標トラックが前記微動アクチュエータの動作範囲内に位置しないときには、該微動制御信号を出力しない微動制御手段と、上記微動制御手段の出力に応じて前記微動アクチュエータを駆動する微動駆動手段と、を備える。
【０００９】
この構成により、前記ヘッドの目標トラックが前記微動アクチュエータの動作範囲内に位置しない場合、すなわち、あるヘッド位置から目標トラックまで移動する場合においてヘッドが目標トラック上に差し掛かって、目標トラックが微動アクチュエータの動作範囲内に入るまでの間は、微動制御手段が微動制御信号を出力しないため、微動アクチュエータには駆動信号が無入力な状態となっている。つまり、微動アクチュエータは、主アクチュエータに単に搭載されたままのニュートラルな状態であって、微動アクチュエータの動作範囲の略中央位置に位置している。そうして、主アクチュエータによってヘッドが移動させられ、微動アクチュエータの動作範囲内に目標トラックが位置するようになったときにはじめて、微動制御手段が微動制御信号を出力し、ヘッドが目標トラックへ移動するように微動アクチュエータを駆動する。
【００１０】
このように、微動アクチュエータによるヘッドの位置決め制御が開始される直前においては、微動アクチュエータは変位しておらず、その動作範囲におけるニュートラルな位置（通常は、動作範囲の中央位置）に位置するため、ヘッドが目標トラック近傍まで移動して微動アクチュエータによる位置決め制御が開始されるときには、微動アクチュエータはその動作方向に対して何れの方向にもオフセットしておらず、何れの動作方向にも略均等に動作できる。これにより、微動アクチュエータによる位置決め制御が開始されても、すぐにヘッドが目標トラックを追従できないようになって、微動アクチュエータの変位を固定すると共に主アクチュエータのみによる位置決め制御へ切り換わって、ヘッドの応答速度が低下し且つ位置決め精度が低下するということを防止することができる。つまり、微動アクチュエータをその動作範囲の略中央位置に位置させた状態から微動アクチュエータによる位置決め制御を開始させることによって、目標トラックのヘッドに対する相対的な変動に対して柔軟に追従させることが可能になり、微動アクチュエータと主アクチュエータとによる高速且つ高精度なヘッドの位置決めを実現することができる。
【００１１】
また、前記微動アクチュエータは、圧電素子を有しているものであってもよい。
【００１２】
ここで、圧電素子は、両側電極に対する印加電圧が大きいと、素子内の金属成分が電気化学反応を起こし、電極に金属成分が析出する。圧電素子の一つに、鉛、ジルコニアおよびチタンの合金からなる薄膜のＰＺＴ素子がある。このＰＺＴ素子は、実際には、ＰＺＴ結晶のみからなるものではなく、製造プロセスにおいて酸化鉛、水などの不純物が混入する。酸化鉛や水が混入すると、電圧印加状態で電気化学反応が活性化され、負電極側に鉛が析出するという現象が起こる。印加電圧が高いほど、鉛析出現象が発生しやすい。鉛析出による悪影響は直ちには発現しないが、鉛析出は徐々に進行する。長時間にわたる鉛析出によって腐食現象が進行すると、圧電素子の変位特性が劣化する。さらに進行すると、変位できないようになる。最終的には鉛析出によりショートが起こる虞がある。
【００１３】
すなわち、ヘッドと目標トラックとの位置ずれが微動アクチュエータの動作限界値を超えていたら微動アクチュエータを目標位置に追従させずに微動アクチュエータの変位量を一定値に制御するように構成すると、微動アクチュエータがその動作範囲の限界値もしくその近傍まで変位し、一定値を持続するという状態は圧電素子の寿命の点から好ましくない。
【００１４】
これに対し、本発明によれば、目標トラックが微動アクチュエータの動作範囲内に位置するようになるまで微動アクチュエータを変位させないため、ヘッドの高速高精度位置決めだけでなく、圧電素子を用いた微動アクチュエータに対しては、圧電素子の寿命を延ばし、ディスク装置の信頼性を向上させることができる。
【００１５】
また、前記微動制御手段は、該微動制御手段に入力される前記位置信号のフィルタリング処理を行う高域通過フィルタを含んで構成するようにしてもよい。
【００１６】
これにより、前記位置信号のうち低周波数成分、特に直流成分を減衰させて、該位置信号を微動制御手段に入力することができ、ヘッド位置に、低周波成分、特に直流成分に起因する目標トラックとの偏差が残存することを防止することができる。その結果、ヘッドを高精度に位置決めすることができる。さらに、圧電素子を用いた微動アクチュエータに対しては、残存する偏差がないため一定値の電圧が持続して印加されることを防止することができ、圧電素子の寿命の延ばすことができる。
【００１７】
尚、前記高域通過フィルタの遮断周波数は、前記主アクチュエータが前記トラック追従動作を行うときの制御帯域よりも高く設定することが好ましい。
【００１８】
こうすることにより、主アクチュエータによるヘッドのトラック追従動作が、微動制御手段に外乱として入力されず、主アクチュエータによる微動制御手段への干渉を防止することができる。その結果、ヘッドが目標トラックに整定する時間を短くすることができ、ヘッドを高速に位置決めすることができる。さらに、圧電素子を用いた微動アクチュエータに対しては、圧電素子に電圧を印加する時間が全体的に短縮されるため、圧電素子の寿命を延ばすことができる。
【００１９】
また、前記微動アクチュエータが圧電素子を利用している場合には、前記微動制御手段は、前記位置信号を積分して前記微動制御信号を生成することが好ましい。位置信号を積分することによって、微動アクチュエータの機械共振周波数よりも十分低い周波数の領域で位置決め制御系のゲインを高くすることができるので、目標トラックに対して高速且つ高精度に位置決めすることができる。
【００２０】
さらに、前記微動制御手段は、微動アクチュエータが前記動作範囲を越えて動作しないように前記微動制御信号の大きさを制限するリミッタを含んで構成することが好ましい。こうすることによって、微動アクチュエータを動作範囲を超えて動作させて、微動アクチュエータが破損することを防止することができる。
【００２１】
また、前記微動制御手段は、該微動制御手段に入力される前記位置信号のうち前記微動アクチュエータの共振周波数と略等しい周波数成分を減衰させるノッチフィルタを含んで構成してもよい。これにより、微動アクチュエータの共振特性により制御系が不安定になることを防止することができる。
【００２２】
また、本発明の制御方法は、少なくとも情報記録ディスクに記録された情報を再生するヘッドと、前記ヘッドが搭載され、該ヘッドを前記情報記録ディスク上で移動させる微動アクチュエータと、前記微動アクチュエータが搭載され、前記ヘッドを該微動アクチュエータと共に前記情報記録ディスク上で移動させる主アクチュエータとを備えたディスク装置の制御方法である。
【００２３】
そして、前記ヘッドの再生信号から、該ヘッドの前記情報記録ディスク上におけるヘッド位置を検出して、その位置信号を生成する工程と、前記位置信号に基づいて、前記ヘッドを前記情報記録ディスク上の目標トラックに移動させるアクセス動作と該ヘッドを該目標トラックに追従させるトラック追従動作とを切り換えると共に切り換えた動作に応じた主制御信号を生成し、該主制御信号に応じて前記主アクチュエータを駆動する主制御工程と、前記位置信号に基づいて、目標トラックが前記微動アクチュエータの動作範囲内に位置するときには、該ヘッドを目標トラック上へ移動させるように微動制御信号を生成して、該微動制御信号に応じて該微動アクチュエータを駆動する一方、目標トラックが前記微動アクチュエータの動作範囲内に位置しないときには、該微動アクチュエータを駆動しない微動制御工程と、を包含するものとする。
【００２４】
この構成により、目標トラックが前記微動アクチュエータの動作範囲以内に位置しない場合は、微動アクチュエータは、主アクチュエータに単に搭載されたままのニュートラルな状態であって、微動アクチュエータの動作範囲の略中央位置に位置している。このように、微動アクチュエータによるヘッドの位置決め制御が開始される直前においては、微動アクチュエータは動作しておらず、その動作範囲におけるニュートラルな位置（通常は、動作範囲の中央位置）に位置するため、何れの動作方向にも略均等な変位量だけ動作できる。その結果、ヘッドを目標トラックに対して高速且つ高精度に位置決めさせることができる。
【００２５】
また、前記微動アクチュエータは、圧電素子を有しているものとしてもよい。本発明は、目標トラックが微動アクチュエータの動作範囲内に位置するようになるまで微動アクチュエータを変位させないため、ヘッドの高精度高速位置決めだけでなく、圧電素子を用いた微動アクチュエータに対しては、圧電素子の寿命を延ばし、ディスク装置の信頼性を向上させることができる。
【００２６】
また、前記微動制御工程では、高域通過フィルタによって前記位置信号のフィルタリング処理を行うようにしてもよい。これにより、ヘッド位置に、低周波成分、特に直流成分に起因する目標トラックとの偏差が残存することを防止することができる。さらに、圧電素子を用いた微動アクチュエータに対しては、残存する偏差がないため一定値の電圧が持続して印加されることを防止することができ、圧電素子の寿命の延ばすことができる。
【００２７】
尚、前記高域通過フィルタの遮断周波数は、前記主アクチュエータが前記トラック追従動作を行うときの制御帯域よりも高く設定されることが好ましい。こうすることにより、主アクチュエータによるヘッドのトラック追従動作が、微動制御手段に外乱として入力されず、主アクチュエータによる微動制御手段への干渉を防止することができる。
【００２８】
また、前記微動制御工程では、前記位置信号を積分して前記微動制御信号を生成するようにしてもよい。位置信号を積分することによって、微動アクチュエータの機械共振周波数よりも十分低い周波数の領域で位置決め制御系のゲインを高くすることができるので、目標トラックに対して高速且つ高精度に位置決めすることができる。
【００２９】
さらに、前記微動制御工程では、微動アクチュエータが前記動作範囲を越えて作動しないように前記微動制御信号の大きさを制限するようにすることが好ましい。こうすることによって、微動アクチュエータを動作範囲を超えて動作させ、微動アクチュエータが故障することを防止することができる。
【００３０】
また、前記微動制御工程では、前記位置信号のうち前記微動アクチュエータの共振周波数と略等しい周波数成分を減衰させるようにしてもよい。これにより、微動アクチュエータが共振することを防止することができる。
【発明の効果】
【００３１】
本発明のディスク装置及びその制御方法によれば、目標トラックが前記微動アクチュエータの動作範囲内にないときには、微動アクチュエータを駆動させず、目標トラックが微動アクチュエータの動作範囲内に入ったときに微動アクチュエータによる位置決め制御を開始することにより、位置決め制御が開始されるときには、微動アクチュエータがその動作範囲内の略中央位置に位置するため、微動アクチュエータと主アクチュエータとの協働によってヘッドを高速且つ高精度に位置決めすることができる。即ち、ヘッドを目標トラックに高速高精度に追従させることができる。
【発明を実施するための最良の形態】
【００３２】
以下、本発明に係わるディスク装置およびその制御方法について、具体的な実施の形態を図面に基づいて詳細に説明する。
【００３３】
図１は本発明の実施の形態に係わるディスク装置の１例である磁気ディスク装置の構成を示すブロック図である。
【００３４】
図１において、磁気ディスク１は、スピンドルモータ（図示せず）により回転駆動される。磁気ヘッド２は、磁気ディスク１に対してデータを記録／再生するためのものであって、後述する、圧電素子（ＰＺＴ素子）を含むマイクロアクチュエータ（ＭＡ）で構成された微動アクチュエータ３の先端に搭載されている。さらに、この微動アクチュエータ３は、軸受５の周りに回動するアーム４の一端に搭載されている。このアーム４の他端には、駆動コイル６が設けられている。この駆動コイル６は、筐体１０に固着されたマグネット（永久磁石）７と空隙を介して対向している。この駆動コイル６とマグネット７とがボイスコイルモータ（ＶＣＭ）を構成し、マグネット７が発生する磁束と駆動コイル６に通電される電流が作る磁界との相互作用により、アーム４は回転力を受ける。これらアーム４、軸受５、駆動コイル６及びマグネット７が、主アクチュエータ８を構成している。
【００３５】
磁気ヘッド２は、微動アクチュエータ３と主アクチュエータ８とからなる２段アクチュエータによって磁気ディスク１上を移動させられ、両アクチュエータ３、８の協働により磁気ヘッド２は目標トラックにオントラック（追従）するように制御される。
【００３６】
図２は本発明の実施の形態に係わるディスク装置に含まれる微動アクチュエータ３の構成を示す構成図である。微動アクチュエータ３は、図２（ａ）〜図２（ｃ）に示すように、ヘッド支持機構２１に対してフレクシャ２２を介してスライダ２３が支持されており、フレクシャ２２上に設けられた微動アクチュエータ３がスライダ２３を駆動するように構成されている。微動アクチュエータ３は、一対のアクチュエータ片３ａ，３ｂからなり、それぞれのアクチュエータ片３ａ，３ｂは、上側電極２４と圧電素子２５と下側電極２６とで構成されている。２つの圧電素子２５はプッシュプルで駆動され、圧電素子２５のひずみ量が、拡大機構によってスライダ２３およびその上の磁気ヘッド２の変位量に変換される構成となっている。拡大機構は、スライダ２３がピボット２７を中心に回動することによって磁気ヘッド２を揺動運動させる機構である。このように構成された微動アクチュエータ３は所定の動作範囲が設定される。この所定の動作範囲は、その構造上（フレクシャ２２、圧電素子２５のサイズ等）決まる可動範囲に設定してもよいし、圧電素子２５の特性劣化を生じるしきい値の電圧となるように設定してもよい。
【００３７】
図３は本発明の実施の形態に係わるディスク装置に含まれる微動アクチュエータ３の駆動電圧信号ｖｍに対する磁気ヘッド２の変位量ｘｍの応答を示す周波数特性図である。圧電素子を含むマイクロアクチュエータで構成された微動アクチュエータ３は、周波数ｆｏの機械共振特性を有している。微動アクチュエータ３の機械共振周波数ｆｏは、１０ｋＨｚ以上の値であり、周波数ｆｏより十分低い周波数（２〜３ｋＨｚ）の領域では微動アクチュエータ３に入力される駆動電圧信号ｖｍの大きさに比例した変位量ｘｍを得ることができる。
【００３８】
このように構成された磁気ディスク装置における磁気ヘッド２の位置決めを行うための制御系について説明する。この磁気ディスク装置は、図１に示すように、微動アクチュエータ３を駆動するための、微動制御手段としての微動制御部２０と微動駆動手段としての微動駆動器１７とを有すると共に、主アクチュエータ８を駆動するための、主制御手段としての主制御部５０と主駆動手段としての主駆動器１９とを有する。
【００３９】
まず、磁気ディスク１には、位置情報としてサーボ信号（トラック番号及びトラック間位置信号（バースト信号））があらかじめ記録されており、磁気ヘッド２は、磁気ディスク１上のサーボ信号を検出し、その検知信号をヘッド位置検出器１１に送る。ヘッド位置検出器１１は、受け取った検知信号に基づいて磁気ヘッド２の現在位置を検出する。そして、ヘッド位置検出器１１は、磁気ヘッド２の現在位置を位置信号ｐｅとして、主制御部５０と微動制御部２０とに出力する。この主制御部５０は、制御モード切換器１８及び主制御器１３を有する。また、微動制御部２０は、誤差範囲検出器１２、切換スイッチ１４、高域通過フィルタ１５及び微動制御器１６を有する。
【００４０】
まず、主制御部５０、主駆動器１９及び主アクチュエータ８を含む主制御系の動作について説明する。
【００４１】
主制御部５０に入力された位置信号ｐｅは、主制御器１３に入力される。主制御器１３は、制御モード切換器１８が出力するモード切換信号ｍｓに応じて主アクチュエータ８に対して目標トラックへのアクセス動作とトラック追従動作とを切り換えて行う。図４は主制御器１３の構成を示すブロック図である。制御モード切換器１８が主制御器１３へアクセス動作を行うモード切換信号ｍｓを出力したときには、モード切換スイッチ４６はａ端子側に接続される。速度変換器４１は図１のヘッド位置検出器１１から入力される位置信号ｐｅの差分を求めることにより磁気ヘッド２がディスク１上を移動する移動速度を出力する。速度パターン発生器４３は、ヘッド位置と目標トラック位置との差から磁気ヘッド２のシーク指令速度を決定し出力する。そして、比較器４２において、速度変換器４１の出力する移動速度と、速度パターン発生器４３の発生する磁気ヘッド２のシーク指令速度とが比較され、シーク指令速度と磁気ヘッド２の移動速度との偏差がシーク制御器４４に入力される。シーク制御器４４は、この偏差に応じて、磁気ヘッド２の移動速度が速度パターン発生器４３の発生するシーク指令速度と一致するように主制御信号ｕｖを生成する。この主制御信号ｕｖがモード切換スイッチ４６を介して主制御器１３から出力される。主制御器１３から出力された主制御信号ｕｖは、主駆動器１９に入力される。主駆動器１９は、主制御器１３から入力された駆動信号ｕｖに応じて主アクチュエータ８の駆動コイル６に駆動電流ｉａを通電し、アーム４を軸受５を中心に回動させ、アーム４の先端に取り付けられた微動アクチュエータ３と磁気ヘッド２を目標トラックまで回転移動させる。
【００４２】
一方、制御モード切換器１８が主制御器１３へトラック追従動作を行うモード切換信号ｍｓを出力したときには、モード切換スイッチ４６はｂ端子側に接続される。ヘッド位置検出器１１の出力する位置信号ｐｅは追従制御器４５にも入力されていて、この追従制御器４５は位置信号ｐｅ及び目標トラックに応じて磁気ヘッド２と目標トラックとの位置ずれを抑制するように主制御信号ｕｖを生成する。この主制御信号ｕｖがモード切換スイッチ４６を介して主制御器１３から出力される。主制御器１３から出力された主制御信号ｕｖは、主駆動器１９に入力される。主駆動器１９は、主制御器１３から入力された駆動信号ｕｖに応じて主アクチュエータ８の駆動コイル６に駆動電流ｉａを通電し、磁気ヘッド２の目標トラックへの位置決め制御が行われる。
【００４３】
このように、磁気ヘッド２が目標トラックから離れていてアクセス動作を行うときには、主アクチュエータ８によって、磁気ヘッド２が目標トラック又はその近傍まで速く且つ正確に移動するように磁気ヘッド２の移動速度が制御される一方、磁気ヘッド２が目標トラック又はその近傍に位置していてトラック追従動作を行うときには、磁気ヘッド２が目標トラックに追従するように磁気ヘッド２の位置が制御される。
【００４４】
次に、微動制御部２０、微動駆動器１７及び微動アクチュエータ３を含む微動制御系の動作について説明する。
【００４５】
微動制御部２０に入力された位置信号ｐｅは、誤差範囲検出器１２、切換スイッチ１４に入力される。切換スイッチ１４は、端子ａ側と端子ｂ側とに切換可能に構成されていて、通常、端子a側に接続されている。この端子aは接地されている一方、端子ｂには位置信号ｐｅが入力されている。そして、誤差範囲検出器１２の出力によって切換スイッチ１４が切り換えられる。
【００４６】
詳しくは、誤差範囲検出器１２へ入力された位置信号ｐｅは、目標トラックと比較され、磁気ヘッド２と目標トラックとの位置ずれが検出される。そして、この位置ずれが微動アクチュエータ３の動作範囲と比較される。そして、位置ずれが微動アクチュエータ３の動作限界値よりも大きいとき、即ち目標トラックが微動アクチュエータ３の動作範囲外にあるときには、誤差範囲検出器１２からは切換信号は出力されず、切換スイッチ１４は端子ａ側に接続されたままである。その結果、切換スイッチ１４は、位置信号ｐｅを高域通過フィルタ１５へは出力せず、微動制御部２０から微動駆動器１７へ信号が出力されることはない。
【００４７】
一方、位置ずれが微動アクチュエータ３の動作限界値以下であるとき、即ち目標トラックが微動アクチュエータ３の動作範囲内にあるときには、誤差範囲検出器１２は、切換スイッチ１４へスイッチを端子ｂ側に接続するように切換信号を出力する。誤差範囲検出器１２からの切換信号に応じて切換スイッチ１４のスイッチが端子ｂ側に接続されると、切換スイッチ１４へ入力された位置信号ｐｅが、切換スイッチ１４を介して高域通過フィルタ１５に入力される。ここで、高域通過フィルタ１５の周波数特性を図５に示す。図５においてｆｃは高域通過フィルタの遮断周波数であって、主アクチュエータ８をトラック追従動作させるときの主制御系の制御帯域よりも高い値に設定される。図５の場合は１次フィルタ特性を有している。そして、位置信号ｐｅは、高域通過フィルタ１５を通過することにより直流成分を含む低域周波数成分が遮断され、微動制御信号ｅとして出力される。
【００４８】
高速通過フィルタ１５から出力された微動制御信号ｅは、微動制御器１６に入力される。微動制御器１６は、微動制御信号ｅを増幅および積分補償を行い、駆動信号ｕｍを生成して出力する。図６は微動制御器１６の構成を示すブロック図である。図６において、３１は積分器であって、図３に示すような周波数特性を有する微動アクチュエータ３の位相補償を行うために使用している。積分器３１の周波数特性を図７に示す。周波数の増加に伴って、−２０ｄＢ／ｄｅｃ（ｄｅｃは１０倍を意味する）の減衰比で減衰している。微動アクチュエータ３は、機械共振周波数ｆｏよりも十分低い周波数の領域では一定のゲインを有している（図３）。したがって、図７に示す周波数特性のように低周波数のゲインが高く、高周波数域のゲインが低下する周波数特性を有する積分器をトラック追従動作モードにおける位置決め制御系に挿入すれば、制御系の低周波数域の開ループゲインを高くすることができ、位置決めの精度と応答速度を向上させることができる。３２はノッチフィルタで、微動アクチュエータ３の有する機械共振周波数ｆｏにおけるゲインを抑制するために使用している。ノッチフィルタ３２の周波数特性を図８に示す。なお、ノッチ周波数は、微動アクチュエータ３の機械共振周波数ｆｏに等しくなるように設定してある。３３は、リミッタであって、微動アクチュエータ３に所定値以上の駆動電圧信号ｖｍが印加されないように駆動信号ｕｍを所定の制限値以下に制限処理するものである。なお、リミッタ３３の所定の制限値は微動アクチュエータ３の動作範囲に対応した駆動電圧となるように設定するとよい。こうして微動制御器１６へ入力された微動制御信号ｅは、積分器３１、ノッチフィルタ３２及びリミッタ３３を介して駆動信号ｕｍに生成され、出力される。
【００４９】
微動制御器１６から出力された駆動信号ｕｍは微動駆動器１７に入力され、微動駆動器１７は、入力された駆動信号ｕｍを電圧増幅し、得られた駆動電圧信号ｖｍを微動アクチュエータ３に出力し、先端に磁気ヘッド２が搭載された微動アクチュエータ３を制御駆動する。
【００５０】
このように、微動アクチュエータ３は、アクセス動作を行うときには駆動しておらず、磁気ヘッド２と目標トラックとの位置ずれが微動アクチュエータ３の動作限界値以下になると、磁気ヘッド２が目標トラックに追従するように微動アクチュエータ３が制御駆動される。
【００５１】
すなわち、このような主アクチュエータ８及び微動アクチュエータ３からなる２段アクチュエータを有する磁気ディスク装置においては、目標トラックが微動アクチュエータ３の動作範囲内に入るまでは、主アクチュエータ８のみによって磁気ヘッド２が移動させられ、目標トラックが微動アクチュエータ３の動作範囲内に入ると、微動アクチュエータ３の制御駆動が開始され、主アクチュエータ８と微動アクチュエータ３との協働により磁気ヘッド２は目標トラックに追従するように制御される。
【００５２】
つぎに、磁気ディスク装置の主制御系と微動制御系とを併せたヘッド位置決め制御系の動作について図９〜図１２を用いて説明する。
【００５３】
まず、磁気ヘッド２の移動速度について説明する。図９は、制御モード切換器１８が主制御器１３へアクセス動作のモード切換信号ｍｓを出力したときの磁気ヘッド２の移動速度時間応答波形図である。図９（ａ）は、目標トラックまでの移動距離に応じて主制御器１３に含まれる速度パターン発生器４３が発生する台形波状のシーク指令速度で、図９（ｂ）は、そのときの磁気ヘッド２の移動速度を示す。磁気ヘッド２は、ほぼ指令どおりの速度で移動する。時刻ｔａで目標トラックまでのシーク動作が完了し、時刻ｔａにおいて制御モード切換器１８はアクセス動作からトラック追従動作へモード切換を行う。
【００５４】
次に、このような移動速度時間応答のもとで移動する磁気ヘッド２の位置について説明する。図１０〜１２は、磁気ディスク装置のヘッド位置決め制御系において、シミュレーションにより求めた、制御モード切換器１８が主制御器１３へアクセス動作のモード切換信号ｍｓを出力した後のアクセス動作から、トラック追従動作のモード切換信号ｍｓを出力してトラック追従動作が行われるまでの磁気ヘッド２の位置時間応答波形図である。図１０は高域通過フィルタ１５を含まない場合を、図１１は高域通過フィルタ１５の遮断周波数ｆｃを５００Ｈｚに設定した場合を、図１２は、高域通過フィルタ１５の遮断周波数ｆｃを１ｋＨｚに設定した場合の位置時間応答波形図を示す。各図において、主アクチュエータ８のアクセス動作モードにおけるヘッド位置検出器１１，主制御器１３，主駆動器１９からなるシーク速度制御系の制御帯域は２００Ｈｚ、同じく主アクチュエータ８のトラック追従動作モードにおける位置決め制御系の制御帯域は１ｋＨｚに設定している。また、微動アクチュエータ３のトラック追従動作モードにおけるヘッド位置検出器１１，高域通過フィルタ１５，微動制御器１６，微動駆動器１７からなる位置決め制御系の制御帯域は、主アクチュエータ８の制御帯域１ｋＨｚよりも広い２ｋＨｚに設定している。
【００５５】
また、各図の（ａ）は、主アクチュエータ８及び微動アクチュエータ３による磁気ヘッド２の移動距離を示し、縦軸の原点は、アクセス動作前の磁気ヘッド２の移動距離が零のときを、縦軸の値Ｔはアクセス動作前の磁気ヘッド２から目標トラック位置までの移動距離を示す。各図の（ｂ）は、図（ａ）の磁気ヘッド２の移動中における微動アクチュエータ３の変位量を示し、縦軸の原点は、微動アクチュエータ３に何ら信号が入力されていないニュートラルな状態であって、微動アクチュエータ３の動作範囲における中央位置を示す。なお、分かりやすくするために、各図（ｂ）の縦軸スケールは、各図（ａ）の縦軸スケールの１０００倍に拡大して表示してある。
【００５６】
まず、図１０に示す、高域通過フィルタ１５を含まない場合のアクセス動作からトラック追従動作までの磁気ヘッド２の位置時間応答について説明する。上記高域通過フィルタ１５を含まない場合、すなわち、ヘッド位置検出器１１の出力する位置信号ｐｅが切換スイッチ１４を介して、微動制御器１６に直接入力される。図（ｂ）に示す時刻ｔａにおいてアクセス動作が完了し、同時に主アクチュエータ８及び微動アクチュエータ３によるトラック追従動作が開始される。つまり、時刻ｔａまでは目標トラックが微動アクチュエータ３の動作範囲内に入っていないため微動アクチュエータ３には何ら信号が入力されず、微動アクチュエータ３は、その動作範囲における中央位置に位置する。そして、目標トラックが該動作範囲内に入った時刻ｔａにおいて微動アクチュエータ３による位置決め制御が開始される。したがって、微動アクチュエータ３は、その動作範囲の中央位置に位置する状態から位置決め制御を開始するため、何れの動作方向にも略均等に動作可能であり、再び目標トラックが微動アクチュエータ３の動作範囲から外れて、主アクチュエータ８のみによるトラック追従動作（微動アクチュエータ３への信号入力が零の状態（図（ｂ）の時刻ｔａ以前の状態））に切り換わることが起こり難くなる。さらに、微動アクチュエータ３は、圧電素子２５を備えるが、目標トラックが微動アクチュエータ３の動作範囲内に入るまでは圧電素子２５に電圧が印加されることはないため、圧電素子２５の寿命も向上する。ただし、高域通過フィルタ１５が存在しない場合には、微動アクチュエータ３に直流成分が供給され続けており、位置整定後も変位出力はゼロにならず、偏差が残る。尚、時刻ｔａのアクセス動作完了時に、微動アクチュエータ３の位置に平坦部を生じるのは、微動アクチュエータ３に所定の制限値以上の駆動電圧信号ｕｍが印加されないようにリミッタ３３によって制限処理を行っているためである。
【００５７】
次に、図１１に示す、高域通過フィルタ１５の遮断周波数を５００Ｈｚに設定した場合のアクセス動作からトラック追従動作までの磁気ヘッド２の位置時間応答について説明する。図１１に示すように、時刻ｔａにおいてアクセス動作が完了し、同時に主アクチュエータ８及び微動アクチュエータ３によるトラック追従動作が開始され、時刻ｔｂで位置決め動作を完了している。尚、時刻ｔａのアクセス動作完了時に、微動アクチュエータ３の変位の正負側に平坦部を生じるのは、微動アクチュエータ３に所定の制限値以上の駆動電圧信号がｕｍが印加されないようにリミッタ３３によって制限処理を行っているためである。高域通過フィルタ１５が設けられている場合は、ヘッド位置検出器１１の出力する位置信号ｐｅが切換スイッチ１４を介して高域通過フィルタ１５に入力され、高域通過フィルタ１５により低域周波数成分を遮断した微動制御信号ｅが微動制御器１６に入力されることになる。そのため、微動アクチュエータ３に直流成分及び低周波数成分が供給されることが防止され、磁気ヘッド２の位置整定後は偏差が残らず、磁気ヘッド２を高精度に位置決めすることができる。さらに、微動アクチュエータ３の圧電素子２５に上記偏差分の電圧が印加され続けることを防止することができる。その結果、微動アクチュエータ３を駆動する圧電素子に印加される電圧を極力小さくすることができるので、圧電素子の寿命を延ばすことができる。
【００５８】
続いて、図１２に示す、高域通過フィルタ１５の遮断周波数を１ｋＨｚに設定した場合のアクセス動作からトラック追従動作までの磁気ヘッド２の位置時間応答について説明する。図１２に示すように、時刻ｔａにおいてアクセス動作が完了し、同時に主アクチュエータ８及び微動アクチュエータ３によるトラック追従動作が開始され、時刻ｔｃで位置決め動作を完了している。時刻ｔｃは、図１１における高域通過フィルタ１５の遮断周波数を５００Ｈｚに設定した場合の位置整定時刻ｔｂと比較して短縮されている。つまり、図１１においては、アクセス動作完了からトラック追従モードに移行するときに微動アクチュエータ３の目標トラックからの位置ずれは振動的となり、位置整定時刻ｔｂが長くなっている。これは、主アクチュエータ８による磁気ヘッド２の動作を、微動制御系が外乱として認識するためである。そこで、高域通過フィルタ１５の遮断周波数を主アクチュエータ８のトラック追従動作モードにおける主制御系の制御帯域以上に設定することによって、主アクチュエータ８のトラック追従動作モードにおける主制御系と、微動アクチュエータ３のトラック追従動作モードにおける微動制御系との相互干渉を抑制して、磁気ヘッド２の位置整定時刻ｔｃを短縮することができる。その結果、高精度高速応答の磁気ディスク装置を構成することができる。さらに、このことは、微動アクチュエータ３を駆動する圧電素子２５に電圧が印加される時間を極力短縮することができるので、圧電素子の寿命を延ばすことができる。
【００５９】
したがって、本実施形態によれば、目標トラックが微動アクチュエータ３の動作範囲内に入っていないときは微動アクチュエータ３には何ら信号を入力しない一方、目標トラックが微動アクチュエータ３の動作範囲内に入ったときには微動アクチュエータ３による磁気ヘッド２の位置決め制御を行うことによって、微動アクチュエータ３は、その動作範囲の中央位置に位置する状態から位置決め制御を開始するため、微動アクチュエータ３による位置決め制御が一旦開始されると、主アクチュエータ８のみによる位置決め制御に切り換わり難く、磁気ヘッド２を高速且つ高精度に位置決めすることができる。さらに、微動アクチュエータ３を駆動する圧電素子２５に電圧が印加される時間を短縮することができ、圧電素子２５の寿命も向上し、ひいては、磁気ディスク装置の信頼性を向上させることができる。
【００６０】
また、本実施形態では、高域通過フィルタ１５を設けることによって、位置信号ｐｅから直流成分及び低周波数成分を減衰させることができるため、磁気ヘッド２の位置整定後に偏差が残ることを防止して、磁気ディスク装置の位置決め精度を向上させることができる。さらに、高域通過フィルタ１５の遮断周波数を主アクチュエータ８のトラック追従動作モードにおける位置決め制御系の制御帯域以上に設定することによって、磁気ヘッドの位置整定時刻を短縮して、磁気ディスク装置の位置決め速度を向上させることができる。
【００６１】
さらにまた、本実施形態では、ノッチフィルタ３２を設けることによって、微動アクチュエータ３の共振特性により制御系が不安定になることを防止することができ、磁気ヘッド２の高速高精度な位置決めを行うことができる。
【００６２】
また、本実施形態では、リミッタ３３を設けることによって、微動アクチュエータ３に所定の規定値以上の駆動電圧信号ｖｍが入力されることを防止して、微動アクチュエータ３の特性劣化を防止すると共に、寿命を向上させることができる。その結果、磁気ディスク装置の信頼性を向上させることができる。
【００６３】
なお、本発明の実施の形態におけるディスク装置では、ヘッド位置検出器１１の出力する位置信号ｐｅが切換スイッチ１４を介して高域通過フィルタ１５に入力され、高域通過フィルタ１５の出力する制御信号ｅが微動制御器１６に入力され、この微動制御器１６の出力する駆動信号ｕｍが微動駆動器１７に入力されるように構成したが、ヘッド位置検出器１１の出力する位置信号ｐｅが高域通過フィルタ１５に入力され、高域通過フィルタ１５の出力を切換スイッチ１４を介して微動制御器１６に入力されるように設定してもよいことは言うまでもなく、または、ヘッド位置検出器１１の出力する位置信号ｐｅをまず切換スイッチ１４を介して微動制御器１６に入力し、微動制御器１６の出力する駆動信号ｕｍが高域通過フィルタ１５を介して微動駆動器１７に入力されるように構成してもよいことは言うまでもない。
【００６４】
また、以上の実施の形態では磁気ディスク装置を例に挙げて説明してきたが、本発明は、本例に限定されるものではなく、光ディスク装置、光磁気ディスク装置など、他の態様の情報記録装置にも適用できる。
【産業上の利用可能性】
【００６５】
本発明にかかるディスク装置は、主アクチュエータと微動アクチュエータを備えた２段アクチュエータ方式のディスク装置であって、高速高精度位置決めを実現することによって高トラック密度化を目的とするものに有用である。
【図面の簡単な説明】
【００６６】
【図１】本発明の実施の形態におけるディスク装置の構成を示すブロック図である。
【図２】本発明の実施の形態におけるディスク装置に含まれる微動アクチュエータの構成を示す構成図である。
【図３】本発明の実施の形態におけるディスク装置に含まれる微動アクチュエータの駆動電圧信号に対する磁気ヘッドの変位量の応答を示す周波数特性図である。
【図４】本発明の実施の形態におけるディスク装置に含まれる主制御器の構成を示すブロック図である。
【図５】本発明の実施の形態におけるディスク装置に含まれる高域通過フィルタの周波数特性図である。
【図６】本発明の実施の形態におけるディスク装置に含まれる微動制御器の構成を示すブロック図である。
【図７】本発明の実施の形態におけるディスク装置に含まれる微動制御器を構成する積分器の周波数特性図である。
【図８】本発明の実施の形態におけるディスク装置に含まれる微動制御器を構成するノッチフィルタの周波数特性図である。
【図９】本発明の実施の形態におけるディスク装置の磁気ヘッドの移動速度時間応答波形図である。
【図１０】本発明の実施の形態におけるディスク装置の微動アクチュエータ制御系に高域通過フィルタを含まないときの磁気ヘッドの位置時間応答波形図である。
【図１１】本発明の実施の形態におけるディスク装置の微動アクチュエータの制御系に含まれる高域通過フィルタの遮断周波数を主アクチュエータの制御帯域より低く設定した場合の磁気ヘッドの位置時間応答波形図である。
【図１２】本発明の実施の形態におけるディスク装置の磁気ヘッドの位置時間応答波形図である。
【符号の説明】
【００６７】
１    磁気ディスク
２    磁気ヘッド
３    微動アクチュエータ
８    主アクチュエータ
１１    ヘッド位置検出器（ヘッド位置検出手段）
１３    主制御器（主制御手段）
１５    高域通過フィルタ
１７    微動駆動器（微動駆動手段）
２０    微動制御部（微動制御手段）
２５    圧電素子
３２    ノッチフィルタ
３３    リミッタ
５０    主制御部（主制御手段）
ｐｅ    位置信号
ｅ      微動制御信号
ｕｍ    駆動信号
ｕｖ    主制御信号
【図１】
2006179105.tif 000003
【図２】
2006179105.tif 000004
【図３】
2006179105.tif 000005
【図４】
2006179105.tif 000006
【図５】
2006179105.tif 000007
【図６】
2006179105.tif 000008
【図７】
2006179105.tif 000009
【図８】
2006179105.tif 000010
【図９】
2006179105.tif 000011
【図１０】
2006179105.tif 000012
【図１１】
2006179105.tif 000013
【図１２】
2006179105.tif 000014